(57)【要約】【課題】フォーカス制御時に一対のフォーカスコイルに生じる推力を均等にすることにより、フォーカス制御に基づく対物レンズの傾きをなくし、目標とする記録トラックへのフォーカシングを高い精度で実現することができる光ピックアップ装置を得る。【解決手段】  一対のフォーカス磁石の一方５０ａは、各磁極の磁気的中心位置において厚みが大きく、フォーカス磁石の他方５０ｂは、各磁極の磁気的中心位置において厚みが小さく、対物レンズを保持した可動体２０が中立位置にあるとき、一対のフォーカスコイル２７の推力発生部の中心と一対のフォーカス磁石５０ａ，５０ｂの磁気的中心位置が一致している。【選択図】図１
2009070457.tif 000002
【特許請求の範囲】
【請求項１】
支持体と、この支持体に固着された一対のフォーカス磁石と、上記支持体に片持ち的に支持された複数のワイヤーと、各ワイヤーの先端部に支持された可動体と、この可動体に固着され上記一対のフォーカス磁石にそれぞれ対向する一対のフォーカスコイルと、上記可動体に支持された対物レンズと、を備えた光ピックアップ装置であって、
上記一対のフォーカス磁石の一方は、各磁極の磁気的中心位置において厚みが大きく、フォーカス磁石の他方は、各磁極の磁気的中心位置において厚みが小さく、
上記可動体が中立位置にあるとき、上記一対のフォーカスコイルの推力発生部の中心と上記一対のフォーカス磁石の磁気的中心位置が一致していることを特徴とする光ピックアップ装置。
【請求項２】
一方のフォーカス磁石の各磁極は、フォーカスコイルとの対向面において、磁気的中心位置の厚みが最も大きく、磁気的中心からフォーカス方向の周辺に向かうに従い連続的に厚みが減少する凸形の円筒形状の面をなし、他方のフォーカス磁石の各磁極は、フォーカスコイルとの対向面において、磁気的中心位置の厚みが最も小さく、磁気的中心からフォーカス方向の周辺に向かうに従い連続的に厚みが増大する凹形の円筒形状の面をなしている請求項１記載の光ピックアップ装置。
【請求項３】
一方のフォーカス磁石の各磁極は、フォーカスコイルとの対向面において、磁気的中心部の厚みが大きくなって凸面をなし、他方のフォーカス磁石の各磁極は、フォーカスコイルとの対向面において、磁気的中心部の厚みが小さくなって凹面をなしている請求項１記載の光ピックアップ装置。
【請求項４】
請求項１、２または３記載の光ピックアップ装置において、各磁極の磁気的中心位置において厚みが大きい方のフォーカス磁石は、フォーカス制御によってフォーカスコイルが近寄ってくる方のフォーカス磁石である光ピックアップ装置。
【発明の詳細な説明】
【技術分野】
【０００１】
本発明は、光ディスクに記録されている情報の読み取りなどに利用される光ピックアップ装置に関するものである。
【背景技術】
【０００２】
情報信号の記録媒体として現在はコンパクトディスク（以降、「ＣＤ」という）やデジタルヴァーサタイルディスク（以降、「ＤＶＤ」という）などの光ディスクの情報媒体が主流である。ＣＤは主に音楽の情報記録媒体に利用され、また、ＤＶＤは映像音楽や映画などの情報記録媒体として利用されている。光ディスクは映像と共に音楽を収録できる程の大規模な記憶領域を備え、かつ、筺体と媒体が非接触であるため、音楽、および、映像の品質が劣化することがないという利点がある。光ディスクが今までよりもさらに記憶容量を上げるためには、記憶密度を高める必要がある。それに伴い、その記憶密度の高い媒体の情報を読み出すために、高性能な光ピックアップ装置が必要である。
【０００３】
従来、ＣＤやＤＶＤなどの光ディスクに記録された情報を読み取り、および、書き込みする光ディスク装置が知られている。光ディスク装置は、光ディスクに記録されている情報を読取るために、水平方向に回転自在なテーブルに光ディスクを乗せて、光ディスクを回転させている。回転している光ディスクに対して、光ピックアップ装置から出射したレーザを照射し、光ディスクからの反射光を、ピックアップ内に付設した光検出素子によって受光するように構成されている。光ディスクからの正確な反射光を受光するには、光ディスクに対して正確な位置に光を出射することが前提条件となる。
【０００４】
従来一般的に知られている光ピックアップ装置について説明する。光ピックアップ装置は、半導体レーザ、回折格子、フォトディテクタ、シリンドリカルレンズ、偏光ビームスプリッター、コリメータレンズ、対物レンズなどからなる。半導体レーザから発せられた拡散光は、回折格子を通過することで回折光となり、ハーフミラーを通過する。光は、コリメータレンズを通過することで平行光束となり、さらに、対物レンズを通過し、光ディスクに到達する。光が、対物レンズを通過することにより、光ディスクの記録トラックに焦点が合うように設計されている。光は、光ディスクに反射されて対物レンズを通過し、その後、ハーフミラーで入射光と分離され、フォトディテクタに入射する。フォトディテクタは光を受光することで電気信号を発生させることができる素子で、光ディスクの記録トラックに記録されている信号に応じた電気信号に変換し、この電気信号が光ピックアップ装置の出力となる。
【０００５】
光ディスクは、外装がポリカーボネートであり、内部において、例えば、溝が形成されているアルミニウム蒸着膜と保護層などからなる記録トラックを有している。ＣＤの規格では情報を記録してある上記溝の幅が１．６ミクロンと極小であり、ＤＶＤの規格ではさらに小さい溝であるため、光ピックアップ装置において、レーザ光を適切に照射できる位置への制御は、高い精度を必要とする。さらに、光ディスクの中心には孔が形成されている。光ディスクの孔が中心からずれている場合や、光ディスクに微小な傾きがあって上記対物レンズ光軸に対し直角に設置されていなかった場合などにも対応して、目標とする記録トラックに正確に合焦するように制御する必要がある。
【０００６】
光ピックアップ装置には、上記のように目標とする記録トラックに正確に合焦するように、フォーカシングサーボシステムおよびトラッキングサーボシステムが存在する。このフォーカシングサーボシステムについて以下に説明する。既に述べたように、レーザ光源からレーザ光を光ディスクに照射し、光ディスクから反射してきた反射光を光検出器にて受光する。光検出器は、光を受光するための受光面を有しており、その中央部分に光を受光する。受光する光の形状は、記録トラックに合焦しているときは光検出器の受光面において円形であるが、合焦位置が記録トラックの前後にずれると、例えば、前述のシリンドリカルレンズを光束が通過することにより、受光面での光束の断面は楕円型となるとともに、楕円径の長軸方向が合焦位置のずれ方向に応じて互いに直交する方向になる。そこで、受光面自体の形状を正方形とし、対角線を境に４つの受光部に分割して、受光部を時計回りにＡ、Ｂ、Ｃ、Ｄとすると、記録トラックに合焦している場合は受光部Ａ、Ｂ、Ｃ、Ｄの受光面積は均等になる。合焦位置がずれて光検出器で受光する光束の断面形状が楕円形の場合は、合焦位置のずれ方向に応じて、受光部ＡとＣの受光面積と受光部ＢとＤの受光面積に差が生じるので、この差がなくなるように対物レンズの光軸方向の位置を制御することにより、記録トラックに常に合焦させることができる。この対物レンズの制御をフォーカス制御あるいはフォーカシング制御という。
【０００７】
上記受光面において光の形状が円形、すなわち、光ディスクの記録トラックに合焦している場合は、以下のような式で成り立っている。
Ａ＋Ｃ  ＝  Ｂ＋Ｄ
上記受光面において光の形状が楕円形、すなわち、光ディスクの記録トラックに対して合焦位置がずれている場合は、以下のような式になる。
Ａ＋Ｃ  ≠  Ｂ＋Ｄ
このように、受光部Ａ、Ｃと受光部Ｂ、Ｄに受光量の差異が生じ、この差異に応じてフォーカスコイルに電気信号を印加してフォーカスシフトを行い、ピントを補正する。これがフォーカシングサーボシステムである。
【０００８】
次に、トラッキングサーボシステムについて説明する。光束が光ディスクの記録トラックに正しく入射している場合は、その反射光が受光部の４分割受光面に均等に入射している。光束が光ディスクの記録トラックから片方にずれると、その反射光は上記４分割受光面片方にシフトする。このシフト方向は上記記録トラックに対するずれ方向によって異なり、上記受光部Ａ、Ｂ、Ｃ、Ｄのうち、ＡとＢまたはＣとＤに偏る。すなわち、
Ａ＋Ｂ  ≠  Ｃ＋Ｄ
となる。そこで、
Ａ＋Ｂ  ＝  Ｃ＋Ｄ
となるように、対物レンズのトラッキング方向の位置を制御することにより、目標とする記録トラックに常に光束を入射させることができる。この対物レンズの制御をトラッキング制御という。
【０００９】
以上説明した光ピックアップ装置の従来例についてより詳細に説明する。図１８において、符号１０は光ピックアップ装置の支持体を示している。支持体１０は主として磁気回路を構成するヨーク１３とワイヤー固定部１４からなる。ヨーク１３は、磁性体からなる板状の部材を折り曲げた部材で、Ｕ字状に折り曲げた部分と、Ｕ字の一端を下方に折り返し、さらに水平方向に折り曲げた形をしていて、この水平方向の折り曲げ部の上面に上記ワイヤー固定部１４が固着されている。ヨーク１３の上記Ｕ字状の折り曲げ部は、可動体２０が収納される直方体形状の空間を構成している。この空間内の四隅には空間の高さと略同じ高さの縦長直方体形状の磁石１７，１８が固着されている。磁石１７はフォーカス磁石、磁石１８はトラッキング磁石で、フォーカス磁石１７、トラッキング磁石１８はそれぞれ２個を一対として上記空間の対角位置に固着されている。フォーカス磁石１７は上下方向に磁極を備えており、トラッキング磁石１８は水平方向に磁極を備えている。上記ワイヤー固定部１５は、ワイヤー１９の一端部を固定している。ワイヤー１９は３本を一対としてヨーク１３の両側に一対ずつ互いに平行に伸び出ていて、各ワイヤー１９の先端部には可動体２０が結合され、可動体２０は各ワイヤー１９が撓むことによって上下左右方向に平行移動可能に支持されている。
【００１０】
可動体２０は横長直方体状であり、その上面の中央部に円形の対物レンズ２３を備えている。可動体２０の長手方向の側面両端部には、トラッキングコイル２８とフォーカスコイル２７が固着されている。各コイル２８，２７は縦長の長方形状のコイルで、可動体２０の一つの対角位置にトラッキングコイル２８が、他の一つの対角位置にフォーカスコイル２７が配置されている。コイル２８，２７を含む可動体２０は、ヨーク１３の前記Ｕ字状折り曲げ部間に形成されている空間に空間的な余裕をもって収納されており、各トラッキングコイル２８と各トラッキング磁石１８、上記フォーカスコイル２７と上記フォーカス磁石１７が対向している。また、可動体２０の長手方向側面において上下方向に突堤１１が形成されており、突堤に対し水平方向にガイド孔１２が等間隔で３箇所形成されている。この背面側にも上記突堤とワイヤー１９を通すためのガイド孔１２が同じく等間隔で３箇所形成されており、それぞれのガイド孔１２をワイヤー１９が貫通して、ワイヤー１９と可動体２０が固着されている。
上記ワイヤー１９は、フォーカスコイル２７およびトラッキングコイル２８に制御電流を流すための電線を兼ねていて、その一端部は、ワイヤー固定部１４の外側面に固定された回路基板１５を貫通し、回路基板１５に記載されている所定の半田付けランドに半田付けされている。ワイヤー１９の先端部は、例えば可動体２０に固着された回路基板などを介してフォーカスコイル２７、トラッキングコイル２８に電気的に接続されている。
【００１１】
図２０と図２１と図２２は、従来のフォーカスシフト時の磁性体とフォーカスコイルの動きを示したものである。図２０はフォーカスシフトのない可動体２０を示しており、図２１はプラス側にフォーカスシフトした可動体２０を示しており、図２２はマイナス側にフォーカスシフトした可動体２０を示している。図２０において、可動体２０の一方の側面とこれに対向するヨーク１３に固着された磁石とのギャップＧ１と、可動体２０の他方の側面とこれに対向するヨーク１３に固着された磁石とのギャップＧ２は同じである。図２１と図２２においては、フォーカスシフトに伴い、ギャップＧ１よりＧ２の方が大きく、それぞれ支持体１０のワイヤー固定部１４側に引き寄せられている。これは可動体２０を平行移動可能に支持しているワイヤー１９の支持構造の物理的現象であり、ワイヤー１９の長さ、弾力性などが原因である。トラッキング制御時も同様に、ギャップＧ１がギャップＧ２よりも小さくなる。
【００１２】
上記のとおり、光ピックアップ装置の、ワイヤーで支持された可動体が、フォーカスシフトする際に、ワイヤーの支持構造、弾力性、長さなどの物理的構成により、各フォーカスコイルと磁性体との間にギャップの差が生じ、対となるコイルには推力の差が発生していた。推力の差が生じることにより、可動体２０およびこれと一体の対物レンズ２３が傾き、光ディスクに記録されている情報の読み取りエラー、あるいは、書き込みエラーになるという問題を生じる。特に、高密度記録光ディスクに対応する光ピックアップでは、対物レンズの僅かな傾きによって読み取りエラー、あるいは、書き込みエラーとなるため、対をなすコイル、特にフォーカスコイルに推力の差が生じない工夫が必要である。
【００１３】
光ピックアップ装置に関する先行技術は、以下の特許文献に記載されているように、多数存在する。しかし、本発明が取り上げている技術課題に着目して、これを解決する手段は存在しない。
【００１４】
【特許文献１】特開２００３−１６８２３０号公報
【特許文献２】特開２００３−３４６３６８号公報
【特許文献３】特開２００４−１５２３４０号公報
【特許文献４】特開２００４−３１０９６６号公報
【特許文献５】特開２００６−２４２６６号公報
【特許文献６】特開２００６−４８８９６号公報
【発明の開示】
【発明が解決しようとする課題】
【００１５】
本発明は、上記の問題を解決するために、フォーカス磁石の形状を工夫し、フォーカス制御時に一対のフォーカスコイルに生じる推力を均等にすることにより、フォーカス制御に基づく対物レンズの傾きをなくし、目標とする記録トラックへのフォーカシングを高い精度で実現することができる光ピックアップ装置を提供することを目的としている。
【課題を解決するための手段】
【００１６】
本発明は、支持体と、この支持体に固着された一対のフォーカス磁石と、上記支持体に片持ち的に支持されたワイヤーと、このワイヤーの先端部に支持された可動体と、この可動体に固着され上記一対のフォーカス磁石にそれぞれ対向する一対のフォーカスコイルと、上記可動体に支持された対物レンズと、を備えた光ピックアップ装置であって、上記一対のフォーカス磁石の一方は、各磁極の磁気的中心位置において厚みが大きく、フォーカス磁石の他方は、各磁極の磁気的中心位置において厚みが小さく、上記可動体が中立位置にあるとき、上記一対のフォーカスコイルの推力発生部の中心と上記一対のフォーカス磁石の磁気的中心位置が一致していることを最も主要な特徴とする。
【発明の効果】
【００１７】
片持ち的に支持された複数のワイヤーの各先端に支持された可動体は、一対のフォーカスコイルにフォーカス制御電流を流すことにより、一対のフォーカス磁石との電磁力によりフォーカス制御され、対物レンズの光軸方向に移動する。この移動によって可動体は一方のフォーカスコイルが一方のフォーカス磁石に近寄り、他方のフォーカスコイルが他方のフォーカス磁石から遠ざかる。上記一方のフォーカス磁石は、磁気的中心位置よりもフォーカス方向周辺部の厚みが小さくなっているため、上記一方のフォーカスコイルのフォーカス推力成分発生部と一方のフォーカス磁石との距離の変化は少ない。また、上記他方のフォーカス磁石は、磁気的中心位置よりもフォーカス方向周辺部の厚みが大きくなっているため、上記他方のフォーカスコイルのフォーカス推力成分発生部と他方のフォーカス磁石との距離の変化は少ない。よって、フォーカス制御により可動体が偏っても、２対のフォーカスコイルとフォーカス磁石で発生する推力の差がなくなり、または、差があったとしてもその差は僅かであり、可動体の傾き、したがって対物レンズの傾きもなく、精度の高いフォーカシング制御、さらにはトラッキング制御を行うことができる。
【発明を実施するための最良の形態】
【００１８】
以下、本発明にかかる光ピックアップ装置の実施例について図面を参照しながら説明する。図示の実施例は、全体の構成は図１８、図１９に示す従来例の構成とほぼ同じで、磁石の構成に特徴があり、これによって作用および効果が異なるので、上記従来例と同じ構成部分には共通の符号を付し、特徴のある構成部分を重点的に説明する。
【００１９】
図１ないし図３は、本発明にかかる光ピックアップ装置の実施例の要部を示している。図１はフォーカス制御されることなく、可動体２０が前記ワイヤー１９によって支持された自然状態を示している。図２は、可動体２０がプラス側（上側）にフォーカスシフトされた例を示しており、図３は可動体２０がマイナス側（下側）にフォーカスシフトされた例を示している。図１に示すように、可動体２０が中立状態にある場合は、可動体２０の一方の側面とこれに対向するヨーク１３に固着されたフォーカス磁石５０ａとのギャップＧ１と、可動体２０の他方の側面とこれに対向するヨーク１３に固着されたフォーカス磁石５０ｂとのギャップＧ２は同じである。
【００２０】
図１ないし図３において、ヨーク１３は、図１８、図１９に示す従来例と同様に、Ｕ字状に形成された部分と、ワイヤー固定部材１４の固定部を有している。Ｕ字状に形成された部分は、互いに平行に立ち上がった部分が磁石固定部１３ａ，１３ｂとなっていて、この磁石固定部１３ａ，１３ｂの相対向する面にフォーカス磁石５０ａ，５０ｂが固着されている。図１ないし図３では、フォーカス磁石５０ａ，５０ｂが、可動体２０の両側面に配置されているが、より正確には、フォーカス磁石５０ａ，５０ｂは平面形状が長方形状の可動体２０の両側面対角位置に配置され、他方の対角位置には前述のトラッキング磁石１８が配置されている。フォーカス磁石５０ａ，５０ｂはそれぞれ上下方向に２等分されて磁極が形成され、フォーカス磁石５０ａ，５０ｂの対向面間に、可動体２０が配置される空間が形成されている。
【００２１】
各フォーカス磁石５０ａ，５０ｂの上下の各磁極は上下方向の中心部が磁気的中心となっていて、一方のフォーカス磁石５０ａは、各磁極の磁気的中心位置において厚みが最も大きく、磁気的中心からフォーカス方向の周辺に向かうに従い連続的に厚みが減少する凸形の円筒形状の面をなしている。一方のフォーカス磁石５０ｂは、各磁極の磁気的中心位置において厚みが最も小さく、磁気的中心からフォーカス方向の周辺に向かうに従い連続的に厚みが増大する凹形の円筒形状の面をなしている。図１に示すフォーカス制御されない自然状態、すなわち可動体２０が中立位置にあるときは、フォーカス磁石５０ａ，５０ｂに対向する一対のフォーカスコイル２７，２７の推力発生部の中心と上記一対のフォーカス磁石５０ａ，５０ｂの磁気的中心位置が一致している。
【００２２】
上記のようなフォーカス磁石５０ａ，５０ｂの形状、およびこれに対するフォーカスコイル２７，２７の位置関係にすることで、可動体２０のフォーカスシフト時に、磁石５０ａ、５０ｂとフォーカスコイル２７、２７との間に生じる推力のバランスを保つことができる。すなわち、従来の光ピックアップの問題点として述べたように、可動体２０がフォー制御されることによって対物レンズの光軸方向に移動するのに伴い、可動体２０はワイヤー固定部１４側に移動する。従って、可動体２０の一方の側面（ワイヤー固定部１４側の面）に固着されたフォーカスコイル２７は、これに対向するヨーク１３に固着された磁石５０ａに近づき、可動体２０の他方に固着されたフォーカスコイル２７は、これに対向するヨーク１３に固着された磁石５０ｂに近づく。しかしながら、図１ないし図３に示す本発明の実施例によれば、磁石５０ａ，５０ｂが前述のように円筒形状に形成されているため、磁石５０ａに対向するフォーカスコイル２７の推力発生部の中心と磁石５０ａとのギャップＧ１と、他方の磁石５０ｂに対向するフォーカスコイル２７の推力発生部の中心と磁石５０ｂとのギャップＧ２に大きな変化はない。よって、磁石５０ａとフォーカスコイル２７によって生じる推力と、磁石５０ｂとフォーカスコイル２７によって生じる推力とがバランスし、フォーカス制御による可動体２０および対物レンズの傾きを無くすことができる。
【００２３】
次に、フォーカス磁石の形状を簡易化した実施例について図４ないし図６を参照しながら説明する。図４ないし図６において、符号６０ａと６０ｂは、前記実施例におけるフォーカス磁石５０ａ，５０ｂに代わるフォーカス磁石を示している。磁石６０ａは、上下に二等分されて、上下に磁極が形成されている。一方の（ワイヤー固定部１４側の）フォーカス磁石６０ａの各磁極は、フォーカスコイル２７との対向面において、磁気的中心部の厚みが大きくなって凸面をなし、磁気的中心部を除く上部と下部の厚みは小さくなっている。他方のフォーカス磁石６０ｂの各磁極は、フォーカスコイルとの対向面において、磁気的中心部の厚みが小さくなって凹面をなし、磁気的中心部を除く上部と下部の厚みは大きくなっている。
この実施例の場合も、フォーカス制御に伴いフォーカスコイル２７が上下方向にシフトすると、フォーカスコイル２７が近づく方の磁石６０ａ側ではその厚みが小さい部分にフォーカスコイル２７の推力発生部の中心が対向し、フォーカスコイル２７が遠ざかる方の磁石６０ｂ側ではその厚みが大きい部分にフォーカスコイル２７の推力発生部の中心が対向するため、前記可動体２０に作用するフォーカス方向の推力のバランスが保たれ、対物レンズ光軸の傾きを抑制することができる。
【００２４】
図７は、図１ないし図３に示す実施例におけるヨーク１３と、フォーカス磁石５０ａ，５０ｂと、フォーカスコイル２７のみを示す。図８は、図４ないし図６に示す実施例におけるヨーク１３と、フォーカス磁石６０ａ，６０ｂと、フォーカスコイル２７のみを示す。図７、図８において、フォーカスコイル２７の推力発生部の中心は、前記可動体２０が中立位置にあるとき、フォーカス磁石の各磁極の磁気的中心位置に対向している。図１７は本発明の主要な特徴であるフォーカス磁石の形状のみを示しており、（ａ）は図１ないし図３に示す実施例のフォーカス磁石、（ｂ）は図４ないし図６に示す実施例のフォーカス磁石を示す。図１７に示すように、フォーカス磁石の形状は、丸み（以降「Ｒ」という場合もある）を帯びた凸形状の磁性体５０と、角張った凸形状磁性体６０のどちらを用いてもよい。丸みを帯びた凸形状の磁性体５０は、滑らかにギャップの均等を保持しつつ、フォーカスシフトを行うことができる。フォーカス磁石の形状を簡易化しものが角張った凸形状の磁性体６０である。
【００２５】
図９ないし図１２は、磁石とフォーカスコイル、および、トラッキングコイルの配置位置が図１ないし図３に示す実施例と異なる光ピックアップ装置を示す。図１１、図１２において、可動体２０は横長直方体状であり、上面の中央部には円形の対物レンズ２３が備えられており、両端部には、一辺が、可動体の短手方向の長さより僅かに小さい、略正方形の貫通孔が上下方向に形成されている。双方の貫通孔には、それぞれ水平方向に巻かれたフォーカスコイル２７が嵌められている。可動体２０長手方向の側面の両端部には垂直方向に巻かれたトラックコイル２８が固着されており、その反対側の面にも同様にトラックコイル２８が固着されている。ヨーク１３には、可動体２０を収納する空間が設けられている。この空間の四隅に磁石が固着されており、各磁石は可動体２０とほぼ同じ高さの縦長直方体の形をしている。図１３と図１４は、図１１のフォーカスコイル２７と磁石１６のみを示す。図１３において、手前側の磁石２つは、フォーカスコイルに向かい合う面にＳ極が備えられているものとすると、フォーカスコイルを挟んで奥側にある２つの磁石は、フォーカスコイルに向かい合う面にＳ極が備えられている。あるいは、手前側の磁石２つが、フォーカスコイルに向かい合う面にＮ極が備えられているものとすると、フォーカスコイルを挟んで奥側にある２つの磁石は、フォーカスコイルに向かい合う面にＮ極が備えられている。つまり、手前側と奥側とで、フォーカスコイルを挟んで向かい合う２つの磁石の磁極は同じ極性になるように備えられている。
【００２６】
図１５は従来のフォーカスコイル２７と磁石１６の例を示す。図１５において、左側にあるのがフォーカスシフト前で中立状態のフォーカスコイル２７と、その左右に配置されている縦長長方形の磁石１６である。上記中立状態から、プラス側にフォーカスシフトしたことを示したものが右上の図である。図１５の右上の図にある、網掛け部分が、磁気ギャップ４０を表している。この磁気ギャップ４０は、フォーカスコイルを挟んだ左右を比較すると、差が生じていることが分かる。図１５の右側の中央の図は、フォーカスシフトが無いため、フォーカスコイルを挟む左右の磁気ギャップ４０が均等である。図１５の右下の図は、マイナス側にフォーカスシフトしたことを示している。上記プラス側にフォーカスシフトした状態と同じように、フォーカスコイルを挟んで左右の磁気ギャップ４０に差が生じている。このように、フォーカスシフト時において、フォーカスシフトがない中立状態から、プラス側またはマイナス側にフォーカスシフトすると、フォーカスコイルを挟む左右の磁気ギャップに差が生じる。
【００２７】
一方、図１６は本発明の前記第１実施例におけるフォーカスコイル２７と磁石２６の関係を示す。図１６において、左側がフォーカスシフト前で中立状態のフォーカスコイル２７と、その左右に配置されている磁石２６を示している。図１６の左側の図において、左側の磁石２６は、フォーカスコイル２７に向かい合う面を、円弧形状の凸面にした形状である。フォーカスコイル２７を挟んで右側の磁性体２６は、フォーカスコイル２７に向かい合う面を、円弧形状の凹面にした形状である。磁石２６をこのような形状にしたことにより、図１６の右上に示す状態でも、図１６の右中央に示す状態でも、図１６の右下に示す状態でも、フォーカスコイル２７の左右にある磁気ギャップ４０は略同じである。
【００２８】
以上、本発明にかかる実施例では、専らフォーカス制御時に生ずる技術的な課題に着目し、専らフォーカス磁石の形状を工夫することによって課題を解決したが、トラッキング制御時も可動体２０がワイヤー固定部１４側にシフトするので、トラッキング制御時もフォーカス制御時と同様の問題が生じる。したがって、トラッキング磁石も、前記実施例におけるフォーカス磁石と同様に、トラッキング制御時に可動体２０が移動する方向において厚みを変えるとよい。
しかしながら、トラッキング制御時の可動体２０のシフト量は僅かであるから、トラッキング制御時の推力のアンバランスはそれほど問題にならない。よって、トラッキング磁石の形状を、フォーカス磁石のような形状にしたとしても、顕著な効果はない。
【００２９】
以上の通り、本発明にかかる光ピックアップ装置によれば、フォーカス磁石の形状を工夫したことにより、フォーカス制御時に、対物レンズを保持する可動体に推力を与える一対のフォーカス磁石とフォーカスコイル間のギャップの差をなくして、推力のアンバランスをなくすことができる。これにより、高い精度でフォーカス制御さらにはトラッキング制御を行うことができ、光ディスクの高密度化にも対応することができる。
【図面の簡単な説明】
【００３０】
【図１】本発明にかかる光ピックアップ装置の第１実施例の要部を示す縦断面図である。
【図２】上記実施例において可動体がプラス側にフォーカスシフトした状態を示す縦断面図である。
【図３】上記実施例において可動体がマイナス側にフォーカスシフトした状態を示す縦断面図である。
【図４】本発明にかかる光ピックアップ装置の第２実施例の要部を示す縦断面図である。
【図５】上記実施例において可動体がプラス側にフォーカスシフトした状態を示す縦断面図である。
【図６】上記実施例において可動体がマイナス側にフォーカスシフトした状態を示す縦断面図である。
【図７】上記第１実施例におけるフォーカスコイルとフォーカス磁石を示す拡大縦断面図である。
【図８】上記第２実施例におけるフォーカスコイルとフォーカス磁石を示す拡大縦断面図である。
【図９】本発明にかかる光ピックアップ装置の第３実施例を示す斜視図である。
【図１０】上記第３実施例を別の角度から見た斜視図である。
【図１１】上記第３実施例を支持体から可動体を分離した状態で示す分解斜視図である。
【図１２】上記第３実施例を別の角度から見た分解斜視図である。
【図１３】上記第３実施例のフォーカスコイルと磁性体のみを示す斜視図である。
【図１４】上記第３実施例のフォーカスコイルと磁性体のみを示す平面図である。
【図１５】従来の光ピックアップ装置の解決課題を説明するためにフォーカス制御時のフォーカスコイルのシフトの様子を示す縦断面図である。
【図１６】本発明にかかる光ピックアップ装置のフォーカス制御時のフォーカスコイルのシフトの様子を示す縦断面図である。
【図１７】本発明に適用されるフォーカス磁石の例を示す拡大縦断面図である。
【図１８】従来の光ピックアップ装置の例を示す分解斜視図である。
【図１９】上記従来の光ピックアップ装置を別の角度からみた分解斜視図である。
【図２０】上記従来の光ピックアップ装置の要部を示す縦断面図である。
【図２１】上記従来の光ピックアップ装置において可動体がプラス側にフォーカスシフトした状態を示す要部の縦断面図である。
【図２２】上記従来の光ピックアップ装置において可動体がマイナス側にフォーカスシフトした状態を示す要部の縦断面図である。
【符号の説明】
【００３１】
１０  支持体
１３  ヨーク
１４  ワイヤー固定部
１７  フォーカス磁石
１８  トラッキング磁石
１９  ワイヤー
２０  可動体
２３  対物レンズ
２７  フォーカスコイル
２８  トラッキングコイル
【図１】
2009070457.tif 000003
【図２】
2009070457.tif 000004
【図３】
2009070457.tif 000005
【図４】
2009070457.tif 000006
【図５】
2009070457.tif 000007
【図６】
2009070457.tif 000008
【図７】
2009070457.tif 000009
【図８】
2009070457.tif 000010
【図９】
2009070457.tif 000011
【図１０】
2009070457.tif 000012
【図１１】
2009070457.tif 000013
【図１２】
2009070457.tif 000014
【図１３】
2009070457.tif 000015
【図１４】
2009070457.tif 000016
【図１５】
2009070457.tif 000017
【図１６】
2009070457.tif 000018
【図１７】
2009070457.tif 000019
【図１８】
2009070457.tif 000020
【図１９】
2009070457.tif 000021
【図２０】
2009070457.tif 000022
【図２１】
2009070457.tif 000023
【図２２】
2009070457.tif 000024